(57)【特許請求の範囲】
【請求項１】
内部に供給流路およびこの供給流路を開閉する弁体を設け、後端に前記供給流路に連通するホース接続部を設け、前端に前記供給流路の出口を設けたグリップを有する散水器本体と、この散水器本体の前面側に回転自在に取付けられるノズルヘッドと、流量操作レバーの回動操作に連動して前記弁体を移動させる弁体レバーと、前記供給流路の前記弁体および出口間に設けた第１の弁座とを備え、更に、前記弁体は、下流端の周面に複数の流出穴が形成され前記供給流路の一部を構成する筒部と、前記流出穴を除いて前記筒部の前記下流端を閉塞する閉塞部と、この閉塞部から下流側の方向に連設された前記筒部よりは小径の突出部と、この突出部に遊嵌される環状パッキンとを有する一方、前記供給流路を閉じるときに、スプリングにより前記筒部が下流側の方向に付勢された状態で前記環状パッキンの上流面を押圧して前記環状パッキンの下流面を前記第１の弁座に当接させる第２の弁座を前記突出部のまわりで前記閉塞部に設けるとともに、前記供給流路を開くときには、前記突出部の上流側への移動により前記環状パッキンの下流面を上流側へ押圧しながら前記第１の弁座から前記環状パッキンを離間させるリング体を前記突出部に設けたことを特徴とする散水器。
【発明の詳細な説明】
【０００１】
【発明の属する技術分野】
この発明は、例えば、一般家庭の園芸等に用いられる散水器に関する。
【０００２】
【従来の技術および発明が解決しようとする課題】
内部に供給流路およびこの供給流路を開閉する弁体を設け、後端に前記供給流路に連通するホース接続部を設け、前端に前記供給流路の出口を設けたグリップを有する散水器本体と、この散水器本体の前面側に回転自在に取付けられるノズルヘッドと、流量操作レバーの回動操作に連動して前記弁体を移動させる弁体レバーとを備えた散水器が提案されているけれども、流量操作レバーの作動荷重が重たかった。
【０００３】
この発明は、上述の事柄に留意してなされたもので、その目的は、流量操作レバーの作動荷重を軽くできる散水器を提供することである。
【０００４】
【課題を解決するための手段】
上記目的を達成するため、この発明は、内部に供給流路およびこの供給流路を開閉する弁体を設け、後端に前記供給流路に連通するホース接続部を設け、前端に前記供給流路の出口を設けたグリップを有する散水器本体と、この散水器本体の前面側に回転自在に取付けられるノズルヘッドと、流量操作レバーの回動操作に連動して前記弁体を移動させる弁体レバーと、前記供給流路の前記弁体および出口間に設けた第１の弁座とを備え、更に、前記弁体は、下流端の周面に複数の流出穴が形成され前記供給流路の一部を構成する筒部と、前記流出穴を除いて前記筒部の前記下流端を閉塞する閉塞部と、この閉塞部から下流側の方向に連設された前記筒部よりは小径の突出部と、この突出部に遊嵌される環状パッキンとを有する一方、前記供給流路を閉じるときに、スプリングにより前記筒部が下流側の方向に付勢された状態で前記環状パッキンの上流面を押圧して前記環状パッキンの下流面を前記第１の弁座に当接させる第２の弁座を前記突出部のまわりで前記閉塞部に設けるとともに、前記供給流路を開くときには、前記突出部の上流側への移動により前記環状パッキンの下流面を上流側へ押圧しながら前記第１の弁座から前記環状パッキンを離間させるリング体を前記突出部に設けている。
【０００５】
【０００６】
【発明の実施の形態】
以下、この発明の実施の形態を図面を参照しながら説明する。
図１〜図３は、この発明の一実施形態を示す。
【０００７】
図１〜図３において、散水器１は、後側にグリップ２を有する散水器本体３と、この散水器本体３の前面側に回転自在に取付けられるノズルヘッド４と、このノズルヘッド４にねじ結合し、散水器本体３に対し回転不能でノズルヘッド４の回転により軸方向（両矢印Ａで示す方向）に進退移動するスピンドル５とより主としてなる。
【０００８】
前記グリップ２の内部には、供給流路Ｂおよびこの供給流路Ｂを開閉する弁体６（後述する）が設けられている。また、グリップ２の後端には、供給流路Ｂに連通するホース接続部７が設けられ、グリップ５の前端には、供給流路Ｂの出口８が設けられている。
【０００９】
９は、供給流路Ｂの出口８を開閉してスピンドル側への供給流量を調整する流量調整ハンドルで、流通穴１０を有する筒状の流量調整コア１１に連結されている。
【００１０】
前記スピンドル５は、下流側が先細り形状で、下流側開口ａの近傍に上流側に向かって第１の流水孔１２および第２の流水孔１３を順次有し、更に、小径部１４と、これより上流側に連設された大径部１５を有する。前記小径部１４は、雄ねじ部１６を有する。この雄ねじ部１６はノズルヘッド４の内周面に形成された雌ねじ部１７と螺合する。一方、前記大径部１５の上流側開口ｂの端部外周面には複数の係合突起１８が円周方向に適当間隔をおいて設けられている。そして、各係合突起１８は、散水器本体３の、雌ねじ部１７よりも更に上流側の内周面に形成された複数の係止溝１９それぞれにＡ方向に移動可能に嵌め込まれている。一方、ノズルヘッド４を散水器本体３に対し回転自在に取付けるための止め輪２０を散水器本体３に設けてあり、ノズルヘッド４は、前記止め輪２０でＡ方向の移動を阻止されながら散水器本体３に対し回転自在に取付けられている。これにより、スピンドル５は、散水器本体３に対し回転不能でノズルヘッド４のＡ方向を中心とする回転によりＡ方向に進退移動できる。
【００１１】
また、スピンドル５内には、前記下流側開口ａおよび第２の流水孔１３間に噴霧ガイド部材２１が嵌め込まれている。
【００１２】
そして、スピンドル５が最も前側に位置する状態で流量操作レバー２２を開操作すると、ミストの流路を形成でき、この状態から、ノズルヘッド４を例えば前方からみて反時計方向に回転させると、スピンドル５が少しだけＡ1 方向に移動してフレアの流路を形成でき、このフレアの状態から、ノズルヘッド３を同方向に回転させると、更に、スピンドル５が少しだけＡ1 方向に移動してジェットの流路を形成でき、そして、このジェットの状態から、ノズルヘッド４を同方向に回転させると、スピンドル５がＡ1 方向に更に移動してシャワーの流路を形成でき、このシャワーの状態から、ノズルヘッド４を同方向に回転させると、スピンドル５がＡ1 方向に更に移動してじょうろの流路を形成できる。更に、このじょうろの状態から、ノズルヘッド４を同方向に回転させると、スピンドル５がＡ1 方向に更に移動して供給流路Ｂから前記ねじ部１４，１６の隙間Ｍを経て整流の流路を形成できる。
【００１３】
なお、２３は散水板、２４は散水板押さえである。
【００１４】
２５は弁体レバーで、軸芯２７を中心に回動自在に取り付けられている。この軸芯２７は後述するストッパ２６で支持されている。
【００１５】
前記ストッパ２６は、グリップ２の取付け部材２ａによってグリップ２に取付けられたストッパ本体２６ａと、板バネ２８と、操作片２９より構成されている。このストッパ２６は、流量操作レバー２２に係止して開操作を維持する機能を持つ。
【００１６】
３０は、供給流路Ｂの前記弁体６および出口８間に設けた第１の弁座である。
【００１７】
以下、この発明の特徴的構成である前記弁体６について説明する。
【００１８】
３１は、前記供給流路Ｂの一部を構成する筒部であり、スプリング３６により下流方向に付勢されている。すなわち、スプリング３６は、筒部３１の上流側の外周面３１ｄとグリップ本体２ａ間に形成された環状の隙間Ｎに設けられており、スプリング３６の下流端３６ａが筒部３１の外周に設けた環状の係止突部３８に係止され、スプリング３６の上流端３６ｂが前記隙間Ｎにホース接続部７の側から介装された受け部材３７に係止されている。なお、前記係止突部３８は、スプリング３６の下流端３６ａに係止する作用以外に前記弁体レバー２５に係止する作用を司る。
【００１９】
更に、前記筒部３１の下流端３１ａの周面には、複数の流出穴３２が形成されている。３３は、前記流出穴３２を除いて筒部３１の前記下流端３１ａを閉塞する閉塞部である。そして、この閉塞部３３から下流側の方向に前記筒部３１よりは小径の突出部３４が連設されており、この突出部３４に環状パッキン３５が遊嵌されている。
【００２０】
４０は第２の弁座で、前記突出部３４のまわりで前記閉塞部３３に設けてある。この第２の弁座４０は、前記供給流路Ｂを閉じるときに、スプリング３６により前記筒部３１が下流側の方向に付勢された状態で前記環状パッキン３５の上流面Ｐを押圧して環状パッキン３５の下流面Ｑを前記第１の弁座３０に当接させる作用を司る。
【００２１】
また、４２は、前記突出部３４の周面に係止されたＥリング（リング体）で、環状パッキン３５が突出部３４から抜け出るのを防止する抜け止め作用を司る以外に、前記供給流路Ｂを開くときには、前記突出部３４の上流側への移動により環状パッキン３５の下流面Ｑを上流側へ押圧しながら前記第１の弁座３０から環状パッキン３５を離間させる作用を司る。
【００２２】
このように、筒部３１、スプリング３６、環状の係止突部３８、複数の流出穴３２、閉塞部３３、小径の突出部３４、第２の弁座４０およびＥリング４２で前記弁体６が構成されており、簡易な構造の弁体６を提供できる。
【００２３】
一方、前記弁体レバー２５はストッパ２６に設けた軸芯２７を中心に回動自在に取り付けられているが、流量操作レバー２２を手指で押圧（開）操作すると、流量操作レバー２２は軸芯４４を中心に回動し、この回動操作に連動して弁体レバー２５は軸芯２７を中心に回動し、前記係止突部３８を介して筒部３１をスプリング３６に抗して上流側に押し下げ、ひいては前記環状パッキン３５を開方向に移動させる。
【００２４】
而して、図２および図３（Ａ）に示す供給流路Ｂを閉じた状態から供給流路Ｂを開くには、すなわち、止水から吐水を行うには、閉じた状態（止水状態）では一次側の水圧が高いけれども、流量操作レバー２２を手指で軽く押圧（開）操作すると、弁体レバー２５は軸芯２７を中心に回動し、前記係止突部３８がスプリング３６を上流側に少しだけ押し下げる。これにより、筒部３１もスプリング３６に抗して上流側に少しだけ押し下がり、図３（Ｂ）に示すように、流出穴３２から、第２の弁座４０および環状パッキン３５の上流面Ｐ間に形成される小さな隙間Ｕと環状パッキン３５の内周面Ｒおよび突出部３４の周面Ｓ間に形成される小さな隙間Ｔを通り出口１１に至る圧力逃がし流路５０が形成される。すなわち、第１の弁座３０は環状パッキン３５の下流面Ｑに当接した状態で、第２の弁座４０が開放され、その小さな隙間Ｕから圧力を逃がすことによって、一次側の水圧を低くできる。
【００２５】
そして、一次側の水圧を低くできるので、今度は第１の弁座３０が流量操作レバー２２を軽く押圧（開）操作するだけで開放され、吐水する〔図３（Ｃ）参照〕。
【００２６】
このように、止水から吐水に切換える際、図２に点線で示す弁体受圧力面Ｆ，Ｇに大きな水圧がかかるため、弁体６の作動が重くなり、水圧に比例して流量操作レバー２２の作動荷重が上がるため、流量操作レバー２２の押圧（開）操作が非常に重くなるという事態が生じることのないように、この実施形態では、第２の弁座４０の開放により圧力逃がしを行えるよう構成したので、第２の弁座４０の開放時、圧力が軽減され、流量操作レバー２２の作動荷重を軽くできる。
【００２７】
図４は、弁体５０が閉状態にあるときは、後述する閉塞部材５４に設けた突出部５１がパッキン受け５２に支持された環状パッキン（弁座）５３に当接し、一方、弁体５０が開くときは、弁座５３から突出部５１が離間するように構成した参考例を示す。なお、図４において、図１〜図３に示す符号と同一のものは、同一または相当物である。
【００２８】
図４において、弁体５０は、下流端３１ａの周面に複数の流出穴３２が形成され供給流路Ｂの一部を構成する筒部３１と、流出穴３２を除いて筒部３１の下流端３１ａを閉塞する状態で筒部３１の下流端３１ａから下流側の方向に連設され、供給流路Ｂを閉じるときには、スプリング３６により下流側の方向に付勢されて弁座５３に当接する閉塞部材５４とを有する。
【００２９】
【発明の効果】
この発明では、止水から吐水に切換える際、圧力逃がしを行った後吐水するよう弁体を構成したので、流量操作レバーの作動荷重を軽くできる効果がある。
【図面の簡単な説明】
【図１】  この発明の一実施形態を示す全体構成説明図である。
【図２】  上記実施形態を示す要部構成説明図である。
【図３】  （Ａ）は、上記実施形態における止水の状態を示す構成説明図である。
（Ｂ）は、上記実施形態における吐水初期の状態を示す構成説明図である。
（Ｃ）は、上記実施形態における吐水の状態を示す構成説明図である。
【図４】  参考例を示す要部構成説明図である。
【符号の説明】
１…散水器、２…グリップ、３…散水器本体、４…ノズルヘッド、６…弁体、７…ホース接続部、８…出口、２２…流量操作レバー、２５…弁体レバー、２７…軸芯、３０…第１の弁座、３１…筒部、３２…複数の流出穴、３３…閉塞部、３４…小径の突出部、３６…スプリング、３８…環状の係止突部、４０…第２の弁座、４２…Ｅリング、Ｂ…供給流路。
【図１】
0004441023.tif 000002
【図２】
0004441023.tif 000003
【図３】
0004441023.tif 000004
【図４】
0004441023.tif 000005